(57)【特許請求の範囲】
【請求項１】
冷却ファン（１）によって吸引される外気が、防塵ネット（３）を通過してエンジンルーム（４）内のラジエーター（５）に供給される構成とし、前記防塵ネット（３）の網面（３ａ）を塞いで通過外気を遮断できる程度の幅を持たせた遮風プレート（６）を該網面（３ａ）に接近させて配置し、前記防塵ネット（３）を備えたラジエーターカバー（２）に、遮風プレート（６）の上部と下部とをスライド自在に支持する上下一対のガイド装置（７ａ，７ｂ）を設け、遮風プレート（６）が防塵ネット（３）の網面（３ａ）に沿って横方向に往復移動できる構成とし、該遮風プレート（６）を、上部プレート（６ａ）と下部プレート（６ｂ）との二つに分割し、該上部プレート（６ａ）と下部プレート（６ｂ）との中間部を伸縮自在かつ折曲自在に連結し、該遮風プレート（６）の移動に伴って、上部プレート（６ａ）が下部プレート（６ｂ）に対して姿勢変更する構成としたことを特徴とする作業車輌の原動部構造。
【発明の詳細な説明】
【技術分野】
【０００１】
この発明は、作業車輌の原動部構造に関する。
【背景技術】
【０００２】
従来から、例えば、コンバインのエンジンルームの吸気側に配置するラジエーターカバーに取り付けている防塵網に付着する塵埃を清掃して、目詰まりを防止し、エンジンの冷却効果を高める装置が公開されている。
【０００３】
例えば、下記特許文献１に記載されている公知技術は、防塵網面上に設けたブラシを、排出オーガーのクラッチ操作に連動して回転駆動して網面に付着している塵埃を清掃する構成が示されている。又、下記特許文献２には、除塵網に清掃機構を設けて、エンジン近傍の温度変化に基づいて作動させる構成が示されている。この公知技術は、エンジン温度が高くなると除塵網の目詰まりを清掃作動によって解消し、オーバーヒートを未然に防止せんとする技術が開示されている。
【特許文献１】実開昭６２−１６０７３７号公開公報
【特許文献２】特開昭６０−１５９３２８号公開特許公報
【発明の開示】
【発明が解決しようとする課題】
【０００４】
従来から、ラジエーターカバーの防塵ネットは、冷却風の吸気作用に伴い網面に付着する塵埃によって、外気の吸引作用が阻害され、エンジンのオーバーヒートに繋がる虞があるから、これを除去するために、清掃手段が設けられ、付着塵埃を取り除いて、外気の吸気作用を、常に、良好に保持して効果的にラジエータを冷やしながらエンジンのオーバーヒートを未然に防止する手段が講じられている。
【０００５】
そして、従来のこの種装置は、本件出願人が前項で提示した二つの特許文献１、及び２に示されているように、清掃機構（ブラシ）を、網面上に回転、或いは往復揺動させる構成としている。したがって、二つの公知技術は、網面上におけるブラシの清掃範囲が円形の回転範囲、又は扇形の往復揺動範囲に限られた部分のみが清掃され、防塵ネットの全面、乃至は略全面に渡って清掃できない課題があった。
【課題を解決するための手段】
【０００６】
この発明は、上記課題を解決するために、次のような技術的手段を講じる。
即ち、この発明は、冷却ファン（１）によって吸引される外気が、防塵ネット（３）を通過してエンジンルーム（４）内のラジエーター（５）に供給される構成とし、前記防塵ネット（３）の網面（３ａ）を塞いで通過外気を遮断できる程度の幅を持たせた遮風プレート（６）を該網面（３ａ）に接近させて配置し、前記防塵ネット（３）を備えたラジエーターカバー（２）に、遮風プレート（６）の上部と下部とをスライド自在に支持する上下一対のガイド装置（７ａ，７ｂ）を設け、遮風プレート（６）が防塵ネット（３）の網面（３ａ）に沿って横方向に往復移動できる構成とし、該遮風プレート（６）を、上部プレート（６ａ）と下部プレート（６ｂ）との二つに分割し、該上部プレート（６ａ）と下部プレート（６ｂ）との中間部を伸縮自在かつ折曲自在に連結し、該遮風プレート（６）の移動に伴って、上部プレート（６ａ）が下部プレート（６ｂ）に対して姿勢変更する構成としたことを特徴とする作業車輌の原動部構造としたものである。
【０００７】
これにより、網面（３ａ）を塞いで通過外気を遮断できる程度の幅を持たせた遮風プレート（６）を、防塵ネット（３）の網面（３ａ）に沿って横方向に移動することによって、通過外気を遮断して網面に吸着している塵埃を落して除去することができる。この場合、遮風プレート（６）は、略方形状の防塵ネット（３）に対して、横に移動することによって網面（３ａ）のほとんど全面に渡って移動できるから、網面（３ａ）の通過外気を一時遮断して塵埃を取り除くことができる。
【０００８】
また、遮風プレート（６）は、その上下をガイド装置（７ａ，７ｂ）に支持させるから、横方向への移動が安定して行われ、防塵ネット（３）の略全面にわたって一時的に通過外気を遮断して塵埃の取り除き作用が効果的にできる。
【０００９】
そして、上下二つに分割した遮風プレート（６）は、矩形以外の、例えば三角形状の網面（３ｂ）上にも傾斜しながら移動できるものとなり、防塵ネット（３）の略全面の清掃ができるものとなった。
【発明の効果】
【００１０】
この発明によると、網面（３ａ）を塞ぐ程度の幅を持たせた遮風プレート（６）を、防塵ネット（３）の網面（３ａ，３ｂ，３ｃ）に沿って横方向に移動する構成であるから、通過外気を一時的に遮断して網面（３ａ，３ｂ，３ｃ）に吸着している塵埃を効果的に除去することができる。そして、遮風プレート（６）が、防塵ネット（３）に対して、横方向に網面（３ａ，３ｂ，３ｃ）に沿いながらほとんど全面に渡って移動できるから、塵埃の清掃が防塵ネット（３）の略全面について行われ、従来のブラシによる回転のように、清掃範囲が限定されることはなく、ラジエーター（５）およびエンジンの冷却効果の低下を少なくして、円滑な作業を行うことができる。
【００１１】
そして、遮風プレート（６）の上下を、ガイド装置（７ａ，７ｂ）にスライド可能に支持させたから、横方向への移動が安定して行われ、防塵ネット（３）の略全面に渡って一時的に通過外気を遮断して塵埃を効果的に除去することができ、ラジエーター（５）およびエンジンの冷却効果の低下を少なくして、円滑な作業を行うことができる。
【００１２】
そして、上下二つに分割した遮風プレート（６）を、伸縮自在かつ折曲自在に連結し、遮風プレート（６）の移動に伴って、上部プレート（６ａ）が下部プレート（６ｂ）に対して姿勢変更するから、矩形以外の、例えば三角形状の網面（３ｂ）上にも傾斜しながら移動でき、防塵ネット（３）の略全面の清掃ができるものとなり、ラジエーター（５）およびエンジンの冷却効果の低下を少なくして、円滑な作業を行うことができる。
【発明を実施するための最良の形態】
【００１３】
以下、この発明の実施例を図面に基づいて具体的に説明する。
まず、コンバインは、図６に示すように、クローラ１０，１０を装備した車体１１上に、図示は省略しているが脱穀装置（周知のとおり、図６においてグレンタンク１２の裏側に隣接して設けている。）が搭載され、その前側に刈取搬送装置１３を設けて構成している。上記グレンタンク１２は、図面に示すように、前記刈取搬送装置１３の後方に配置した運転席１４の後方で、前記脱穀装置の右側に搭載した構成となっている。そして、グレンタンク１２は、刈取脱穀作業に伴って脱穀装置が脱穀・選別した一番穀粒を貯留する構成としている。１５は穀粒排出オーガーを示している。
【００１４】
そして、エンジンルーム４は、図１、及び図６に示すように、前記運転席１４の下側に配置され、内側にエンジン１６を搭載し、その外側に隣接させて冷却ファン１を軸架し、更に、その外側にはラジエーター５を装置した構成としている。そして、ラジエーターカバー２は、図面に示すように、前記エンジンルーム４の外側枠に沿わせて開閉自由に設けられ、すぐ内側にある前記ラジエーター５に臨ませるように防塵ネット３を張設して設け、前記冷却ファン１の吸引作用によって外気を、除塵しながら通過させてエンジンルーム４に冷気の供給ができるようにエンジン冷却装置を構成している。
【００１５】
そして、遮風プレート６は、図面に示すように、前記防塵ネット３の網面３ａ，３ｂ，３ｃを塞いで、一時的に外気の通過を遮断できる程度の横幅を持たせて上下に長く形成し、網面３ａ，３ｂ，３ｃに接近させて配置した構成としている。
【００１６】
つぎに、ガイド装置７ａ，７ｂは、図２、乃至図５に示すように、前記ラジエーターカバー２の上部と下部とに一対を平行に配置し、前記遮風プレート６の上部と下部とに設けたスライド保持具１８，１８をスライド可能に支持した構成としている。なお、ガイド装置７ａ，７ｂは、図２、乃至図４に示すように、後述する変形した網面３ｂのある上部側を、方形の網面３ｃが形成されている下側より短く構成している。
【００１７】
このようにして、遮風プレート６は、上下一対のガイド装置７ａ，７ｂにスライド保持具１８，１８を摺動自由に支持させて、前記防塵ネット３の網面３ａ，３ｂ，３ｃに沿って横（車体１１に対しては前後方向）にスライドできる構成となっている。なお、ガイド装置は、ラジエーターカバー２の上下中間位置にある横桟に補助的に中間ガイド装置を設けるのは自由である。
【００１８】
つぎに、上記遮風プレート６は、図２、及び図３に示すように、上部プレート６ａと下部プレート６ｂとの上下二つに分割し、上部プレート６ａに長孔１９を開孔し、下部プレート６ｂにはその長孔１９に摺動自在に嵌合する摺動ピン２０を設け、その部分（中間部）で伸縮自由で、且つ、折曲自在に連結した構成としている。したがって、前記遮風プレート６は、図２の仮想線で示すように、上側の短いガイド装置７ａの終点位置に達すると、下側の長いガイド装置７ｂによって一方の下部プレート６ｂのみが横移動し、上部プレート６ａが連動されて傾斜状態に倒れて変形した網面３ｂを塞いで通過外気を遮断できる構成としている。このとき、遮風プレート６は、上部プレート６ａと下部プレート６ｂとにある長孔１９と摺動ピン２０との関係で上下に伸長し、且つ、折曲自在になっている。
【００１９】
そして、遮風プレート６は、図２に実線で示すように、下方の防塵ネット３の網面ではない板面上を通過して図面の如く角部（三角形の一角）の網面３ａ上を移動することが出来る程度の長さに構成している。したがって、遮風プレート６は、斜めにカットされた形状に設けられている防塵ネット３であっても、その部分を移動して、通過する外気を一時的に遮断して付着している藁屑や塵等の塵埃の清掃ができるものとなっている。
【００２０】
そして、前記遮風プレート６は、図３に示すように、上部プレート６ａと下部プレート６ｂとの間の連結部位において、両プレート６ａ，６ｂ間にスプリング８を介装して、常に、縮小方向へ引っ張力が働く構成としている。したがって、遮風プレート６は、図３において、一点鎖線の位置から二点鎖線の位置へはスプリング８の張力に抗して移動し、逆の復帰行程では、スプリング８の張力で自動復帰が出来る。
【００２１】
つぎに、遮風プレート６の横移動機構について説明する。
まず、リードカム軸２５は、図４、及び図５に示すように、前記防塵ネット３の内側において、前記ラジエーターカバー２の左右の側枠２６，２６に架渡してリードメタル２７を螺合して回転自由に軸受け支持した構成としている。そして、電動モーター２８は、上側に装置して減速装置や伝動ギヤ２９，３０を噛合させて、上記リードカム軸２５を正転、及び逆転に伝動する構成としている。なお、上記電動モーター２８は、図外のスイッチ操作で適宜ＯＮ，ＯＦＦの切替操作ができる構成にしている。
【００２２】
そして、左右リミットスイッチ３１，３２は、図４に示すように、前記リードカム軸２５の両端部分に接近させて設け、リードメタル２７を検出できる位置に設け、遮風プレート６が左、又は右の端部に達して検出すると、電動モーター２８の回転方向を切り替える構成としている。
【００２３】
以上のように構成された防塵ネットの塵埃除去装置を装備したコンバインによって、塵埃の多い圃場で刈取脱穀作業を行った場合、又は、コンバイン作業を長時間続けた場合等に、エンジンルーム４の外側に設けたラジエーターカバー４の防塵ネット３には藁屑や塵が付着して外気の吸引作用が阻害されることが多い。そこで、オペレーターは、図外のスイッチをＯＮ操作すると、電動モーター２８が始動されて伝動ギヤ２９，３０を介してリードカム軸２５が駆動され、リードメタル２７を正転方向に駆動する。すると、遮風プレート６は、図２に示すように、上記リードメタル２７と共に横移動が開始され、上下のスライド保持具１８，１８が、それぞれガイド装置７ａ，７ｂに支持されながら案内されて防塵ネット３の網面３ａ上を移動する。そのとき、遮風プレート６は、連続的に移動する工程において、一時的に冷却ファン１の吸引作用で吸引されている外気が遮断されて空気の通過が止められ、網面３ａに付着している塵埃が吸着力を失って落下し、清掃され網面の目詰まりが解消される。
【００２４】
そして、実施例は、既に説明したとおり、網面３ａを塞ぐ程度の幅を持たせた遮風プレート６を、防塵ネット３の網面３ａ，３ｂ，３ｃに沿って横方向に移動する構成であるから、通過外気を一時的に遮断して網面に付着している塵埃を効果的に除去できる。そして、実施例は、遮風プレート６が、防塵ネット３に対して、横に網面３ａ，３ｂ，３ｃに沿いながらほとんど全面に渡って移動できるから、略全面の塵埃を除去できて目詰まりの防止が出来る。
【００２５】
そして、実施例の場合、遮風プレート６を、上下のガイド装置７ａ，７ｂにスライド可能に支持させたから、横方向への移動が安定して行われ、防塵ネット３の略全面に渡って順番に移動し、一時的に通過外気を遮断することができて、塵埃の取除作用が効果的にできる。
【００２６】
そして、実施例は、上下二つに分割した遮風プレート６を、伸縮自由で、且つ、折曲自在に連結し、上述の上下のガイド装置７ａ，７ｂに案内しながら横移動させるから、変形網面３ｂ上にも傾斜しながら移動できるものとなり、防塵ネット３上の変形した網面３ｂの清掃も可能となった。
【００２７】
そして、実施例は、変形網面３ｂ上を傾斜して移動しながら、吸引外気を一時的に遮断して網面３ｂの塵埃を除去した後、復路において、上部プレート６ａと下部プレート６ｂとは、相互間に、常時、引っ張り合う状態に働くスプリング８の張力により、傾斜状態の上部プレート６ａが自動的に下部プレート６ｂと直線状にまで復帰できる。
【００２８】
つぎに、図７に示す他の実施例について説明する。
実施例は、図面に示すように、変形した防塵ネット３の網に対して、付着した塵埃を除去するための清掃具３５を、その網の外形に合った変形軌跡を描きながら回転移動する移動装置３６である。
【００２９】
まず、回転輪３７は、ラジエーターカバー２に上下に架渡された支持腕３８に軸受けされ、電動モーター３９から駆動ギヤ４０を介して伝動される動力で回転駆動される構成となっている。そして、ガイドカム４１は、前記回転輪３７の軸芯の近くに静止状態に固定され、カム形状を、前記防塵ネット３の網形状に合わせた形状に構成している。そして、回転アーム４３は、前記回転輪３７の中心軸部に基部を軸着し、先端部分を回転輪３７の外輪近くまで放射方向に延ばして一体に回転する構成としている。そして、回転アーム４３は、板面に長手方向に沿わせて長孔（放射方向にした）４４を開孔して設け、その長孔４４に清掃具３５の摺動ピン４５を摺動自在に挿し通した構成としている。そして、案内ローラ４６は、前記清掃具３５に軸架して、常に、前記ガイドカム４１の外周案内面に圧接状態で案内されるように、圧縮スプリング４７で張圧した構成としている。尚、前記圧縮スプリング４７に代えて、引張スプリングによって、案内ローラ４６をガイドカム４１の外周案内面に圧接状態で案内される構成としてもよい。
【００３０】
以上のように構成された実施例は、防塵ネット３の網面を清掃するためにスイッチをＯＮ操作して、電動モーター３９を始動すると、回転輪３７は、駆動ギヤ４０を介して伝動されて、回転アーム４３と共に一体として矢印の方向に回転を開始する。すると、清掃具３５は、圧縮スプリング４７によって案内ローラ４６をガイドカム４１側に押圧しながら回転し、摺動ピン４５が長孔４４内を案内されながら移動する。このようにして、清掃具３５は、回転移動の過程で防塵ネット３の外形に近い軌跡を描きながら、ほとんど全面に近い範囲の清掃作用を行うことができる。
【図面の簡単な説明】
【００３１】
【図１】エンジンルームの平面図
【図２】遮風プレートの作用を示すラジエーターカバーの正面図
【図３】遮風プレートの作用を示すラジエーターカバーの正面図
【図４】ラジエーターカバーの背面図
【図５】前図５の側断面図
【図６】コンバインの側面図
【図７】別実施例の正面図
【符号の説明】
【００３２】
１    冷却ファン
２    ラジエーターカバー
３    防塵ネット
３ａ  網面（全体）
４    エンジンルーム
５    ラジエーター
６    遮風プレート
６ａ  上部プレート
６ｂ  下部プレート
７ａ  ガイド装置（上）
７ｂ  ガイド装置（下）
【図１】
0004687701.tif 000002
【図２】
0004687701.tif 000003
【図３】
0004687701.tif 000004
【図４】
0004687701.tif 000005
【図５】
0004687701.tif 000006
【図６】
0004687701.tif 000007
【図７】
0004687701.tif 000008